(57)【要約】【課題】簡素な構成で電気泳動表示パネルに描画データを与え廉価で消費電力の少ない電気泳動型表示装置を提供する。【解決手段】電圧印加により複数の画素１５が着色し、電圧を遮断した後も着色が維持される表示パネル１１と、複数の入力電極１４を有する入力パッド１２と、該入力パッド１２の入力電極１４に当接して電圧を印加する入力手段１３とを備えた表示装置１０であって、前記画素１５と入力電極１４とは電気的に１対１で直接接続することによって課題を解決した。【選択図】図２
2013205436.tif 000002
【特許請求の範囲】
【請求項１】
電圧印加により複数の画素が着色し、電圧を遮断した後も着色が維持される表示パネルと、複数の入力電極を有する入力パッドと、該入力パッドの入力電極に当接して電圧を印加する入力手段と、を備えた表示装置であって、
前記画素と前記入力電極とは電気的に１対１で直接接続されていることを特徴とする表示装置。
【請求項２】
前記入力手段は前記画素を着色または消去するための、プラスまたはマイナスの電圧を出力することを特徴とする請求項１に記載の表示装置。
【請求項３】
前記複数の入力電極の全てに同時に電圧を印加して、前記複数の画素の着色を一括消却する消去手段を有することを特徴とする請求項１または請求項２に記載の表示装置。
【請求項４】
前記表示パネルと前記入力パッドは、前記表示パネルと前記入力パッドとを脱着するための脱着手段を有することを特徴とする請求項１から請求項３のいずれか１項に記載の表示装置。
【請求項５】
前記複数の画素はマトリクス状に配置されたドット形状であることを特徴とする請求項１から請求項４のいずれか１項に記載の表示装置。
【請求項６】
前記複数の画素はセグメント形状に配置されていることを特徴とする請求項１から請求項４のいずれか１項に記載の表示装置。
【請求項７】
前記表示パネルは電気泳動表示素子よりなることを特徴とする請求項１から請求項６のいずれか１項に記載の表示装置。
【発明の詳細な説明】
【技術分野】
【０００１】
本発明は、電界を加えることによって電気泳動で微粒子が移動することを利用した表示装置に関する。
【背景技術】
【０００２】
近年、電気泳動型の表示技術において、液相分散媒と電気泳動粒子とを含む電気泳動分散液を封入した多数のマイクロカプセルを、電極を有する２枚の樹脂フィルムに挟着した表示装置が開発されている。電気泳動分散液をマイクロカプセルに封入することにより、表示装置の製造工程において、分散液の流出を防止することができるとともに、電気泳動粒子の沈降や凝集を減少させることができるという利点がある。また、この電気泳動型表示装置は、バックライトが必要ないことから低コスト化や薄型化が可能となり、さらに、視野が広くコントラストが高いことに加え、表示がメモリ性を有するために、次世代の表示デバイスとして注目を集めている。
【０００３】
電気泳動型表示装置への情報やデータの入力は、電気泳動型表示板に入力ペンでプラス
およびマイナスの電界を直接与える電気泳動表示装置が開示されている。（例えば、特許文献１参照。）
【０００４】
図２０を用いて特許文献１に記載された電気泳動表示装置の概要を説明する。
図２０は特許文献１に記載された電気泳動表示装置の断面図であり、電気泳動表示パネル２０２の下部電極２０６と、誘電体フィルム２０７と、下部電極２０６と誘電体フィルム２０７との間に設けられ、マイナスの電荷を帯びた黒色の導電性トナー２０９及び白色粒子２０８が封入された電気泳動層２０５と、誘電体フィルム２０７の表面を擦過するための電気ペン２０４と、電気ペン２０４にプラスの電圧及びマイナスの電圧の一方を供給し、下部電極２０６にプラスの電圧及びマイナスの電圧の他方を供給する電圧供給回路２０３とを備え、電気ペン２０４によって電気泳動表示パネル２０２の下部電極２０６と前記誘電体フィルム２０７との間に電界を与え描画する構成としている。
【先行技術文献】
【特許文献】
【０００５】
【特許文献１】特開２００２−１４３７９号公報（請求項、図１）
【発明の概要】
【発明が解決しようとする課題】
【０００６】
しかしながら、特許文献１の電気泳動表示装置は、電気ペンで誘電体フィルム２０７を擦過するので、摩擦によって誘電体フィルム２０７に傷が生じ表示品質が劣化することや、各画素に描画データを与えるために下部電極をマトリクス構成とする必要があり、マトリクスを駆動するための回路が複雑になるなど、システムが複雑化してしまうという課題がある。
【０００７】
本発明はこのような従来の問題を解決するためになされたものであり、その目的は、簡素な構成で電気泳動の表示パネルに電界を与えて廉価かつ消費電力の少ない電気泳動型表示装置を提供することである。
【課題を解決するための手段】
【０００８】
前述した目的を達成するための本発明の手段は、電圧印加により複数の画素が着色し、電圧を遮断した後も着色が維持される表示パネルと、複数の入力電極を有する入力パッド
と、入力パッドの入力電極に当接して電圧を印加する入力手段とを備えた表示装置であって、画素と入力電極とは電気的に１対１で直接接続されていることを特徴とする。
【０００９】
また、入力手段は着色または消去するためのプラスまたはマイナスの電圧を出力することを特徴とする。また、複数の入力電極の全てに同時に電圧を印加して、複数の画素の着色を一括消却する消去手段を有することを特徴とする。
【００１０】
また、表示パネルと入力パッドは、表示パネルと入力パッドとを脱着するための脱着手段を有することを特徴とする。
【００１１】
また、複数の画素はマトリクス状に配置されたドット形状の画素であることを特徴とする。
【００１２】
また、複数の画素は、セグメント形状の画素であることを特徴とする。
【００１３】
また、表示パネルは電気泳動表示素子よりなることを特徴とする。
【発明の効果】
【００１４】
本発明によれば、電極と画素を直接一対一で直接接続するので、電気泳動素子専用の駆動ドライバや能動素子を必要とせず当該パネルにドットマトリクスやセグメントデータが表示可能となる。また、表示書き換えに必要な電圧値が少なくてすみ、回路の構造が簡素となり安価になるばかりでなく低消費電力も図ることができる。
【図面の簡単な説明】
【００１５】
【図１】本発明の表示装置の基本的構成を示すブロック図である。
【図２】本発明の第１の実施形態である表示装置の構成を示すブロック図である。
【図３】本発明の第１の実施形態である表示装置の表示部の構造を示す平面図である。
【図４】図３のＡ−Ａ´断面を示す断面図である。
【図５】本発明の第１の実施形態である表示装置の入力部の構造を示す平面図である。
【図６】図５のＢ−Ｂ´断面を示す断面図である。
【図７】本発明の第１の実施形態である表示装置の表示部の電気回路である。
【図８】本発明の第１の実施形態である表示装置の入力部の電気回路である。
【図９】本発明の第１の実施形態である表示装置の外観を示す斜視図である。
【図１０】本発明の第２の実施形態である表示装置の構成を示すブロック図である。
【図１１】本発明の第２の実施形態である表示装置の表示部の構造を示す平面図である。
【図１２】図１１のＣ−Ｃ´断面を示す断面図である。
【図１３】本発明の第２の実施形態である表示装置の入力部の構造を示す平面図である。
【図１４】図１３のＤ−Ｄ´断面を示す断面図である。
【図１５】本発明の第２の実施形態である表示装置の外観を示す斜視図である。
【図１６】本発明の第３の実施形態である表示装置の構成を示すブロック図である。
【図１７】本発明の第３の実施形態である表示装置の入力部の外観を示す斜視図である。
【図１８】本発明の第３の実施形態である表示装置の入力部の側面図である。
【図１９】本発明の第４の実施形態である表示装置の外観を示す斜視図である。
【図２０】従来の電気泳動表示装置の構成を示す断面図である。
【発明を実施するための形態】
【００１６】
以下、本発明の最良の実施形態である表示装置について、図面を参照して詳細に説明する。本発明の表示装置は、電界によって帯電した着色した粒子が泳動して情報やデータを描画する表示装置において、着色した粒子が構成する各画素に一対一で対応した入力電極と接続手段とを備え、この入力電極から描画するための電圧を直接印加することで構成の簡素化を図るものである。
【００１７】
[基本的構成の説明：図１]  
図１を用いて本発明の表示装置の基本的構成を説明する。
【００１８】
図１は本発明の表示装置の基本的構成を模式的に示すブロック図で、表示装置１０は情報やデータを入力する入力部２と、入力部２によって入力した情報やデータを表示する表示部１とから構成され、表示部１は複数の画素を備えた表示パネル１１と、表示パネル１１に電気信号を供給するための接続手段１９と表示部１と入力部２とを結合、あるいは取り外すための脱着手段１７とから構成される。
【００１９】
入力部２は入力パッド１２と、電圧発生手段１８と、消去手段１６と、入力手段１３と脱着手段１７とから構成される。入力パッド１２は、表示部１の各画素に一対一で書込信号Ｒｅまたは消去信号Ｅｓを供給するため画素と同数の入力電極を備えている。また電圧発生手段１８は書込信号Ｒｅまたは消去信号Ｅｓを発生し入力手段１３と消去手段１６とに供給する。消去手段１６は、入力パッド１２の全入力電極に消去信号Ｅｓを一括供給する。入力手段１３は、入力パッド１２の各入力電極１４に個別に書込信号Ｒｅまたは消去信号Ｅｓを供給する。
【実施例１】
【００２０】
[第１の実施形態の説明：図２〜図９]
第１の実施形態である表示装置１０は、表示部１の表示パネル１１の各画素および、この画素に対応する入力部２の入力パッド１２の各入力電極を、ドットマトリクス状に構成し、文字や絵などの様々なデータや情報を自由に表示できる様にするものである。
【００２１】
図２〜図９を用いて、本発明の第１の実施形態である表示装置１０の構造および構成を説明する。図２はブロック図、図３は表示部の平面図、図４は図３のＡ−Ａ´断面図、図５は入力部の平面図、図６は図５のＢ−Ｂ´断面図、図７は表示部の電気回路図、図８は入力部の電気回路図、図９は全体の外観を示す斜視図である。
【００２２】
図２を用いて第１の実施形態である表示装置１０の構成を説明する。図２に示す様に、表示部１の表示パネル１１の各画素１５および入力部２の入力パッド１２の各入力電極１４は、７行×７列のドットマトリクス状に構成されている。本実施形態では、７行×７列のドットマトリクス状の画素を４９個配置したが、これに限定されるものではなく、もっと多くの画素を配置してもよい。
【００２３】
脱着手段１７は表示部１と入力部２とを電気的に一対一で結合するため、脱着可能なリセプタクル１７１とプラグ１７２とから構成される。図２におけるその他の要素は図１における要素と同じであり、同一要素には同一番号を付し重複する説明は省略する。
【００２４】
図３および図４を用いて、第１の実施形態である表示装置の表示部１の表示パネル１１の構造を詳しく説明する。図３に示す様に、表示部１の表示パネル１１は４９個の画素１５を備え、さらに表示パネル１１は、接続手段１９によって脱着手段１７の一方の要素であるリセプタクル１７１に電気的に結合されている。また接続手段１９は後述する配線電極１１６ｃとフレキシブル回路基板１１８で構成されている。
【００２５】
図４に示す様に、表示パネル１１は、表示パネル１１の視認側と視認側の反対側である視認背後側とは、各々保護フィルム１１１によって内包されている。表示パネル１１は、透明電極１１３を備えた透明基板１１２と、銅箔からなる画素電極１１７を備えたフレキシブル回路基板１１８と、透明電極１１３と画素電極１１７との間に電気泳動により動作する画素表示層１１０とを備えている。画素表示層１１０は多数のマイクロカプセル１１４を接着層１１５内に敷き詰めて形成されている。なお、画素１５はマイクロカプセル１１４と画素電極１１７とで構成された描画のための最小単位である。
【００２６】
詳細には、画素表示層１１０は厚さ１００μｍのＰＥＴ（ポリエチレンテレフタレート）樹脂から成る可撓性の透明基板１１２の、厚さ０．０５μｍのＩＴＯから成る透明電極１１３側に、接着層１１５の中に直径３０〜５０μｍの多数のマイクロカプセル１１４を敷き詰め形成されている。
【００２７】
保護フィルム１１１は、シリカやアルミナ等の無機酸化膜の蒸着膜をＰＥＴ樹脂でサンドイッチ状に挟み込んだ湿度遮断性能に優れた厚さ１００μｍの透明なフィルムにより構成し、内面には接着層１１５を有している。
【００２８】
フレキシブル回路基板１１８は、厚さ２５μｍのポリイミドフィルムの基材の両面に厚さ１０μｍの銅箔を張ったものを用いている。その表面には、図３の画素１５に示すような円形の画素１５を形成するための画素電極１１７が形成されている。
【００２９】
配線電極１１６は、画素電極１１７の開口部（画素部ビア）の底を埋めるように配置され、画素電極１１７と導通している。
視認背後側の配線電極１１６は、画素電極１１７と入力部２とを接続するための、配線電極１１６ｃとフレキシブル回路基板１１８とからなる接続手段１９によって、リセプタクル１７１に電気的に結合されている。
【００３０】
本実施例では、配線電極１１６ｃは表示部１の表示パネル１１上に４９個のドットマトリクスを構成するため、４９本の信号線と１本の共通線の計５０本の接続線で構成されている。なお、各画素１５が構成するドットマトリクス回路を、電子回路で駆動するためのＩＣを配線電極１１６ｃの中間点に配し、配線電極１１６ｃの接続線数を減らすことも勿論可能である。
【００３１】
マイクロカプセル１１４は、透明なメタクリル樹脂等からなるカプセル殻の内部に、帯電粒子として酸化チタン等からなる白色粒子Ｗとカーボンブラック等からなる黒色粒子Ｂとが、シリコーンオイル等の粘性の高い透明な分散媒に分散された状態で封入され、白色粒子Ｗはマイナス側に帯電され、黒色粒子Ｂはプラス側に帯電されている。
【００３２】
表示装置１０のその他の要素の形成方法など形成方法については、既に広く知られているので詳細の説明は省略する。
【００３３】
図５および図６を用いて、第１の実施形態である表示装置１０の入力部２および入力パッド１２の構造を説明する。
図５に示す様に、入力部２は入力電極１４を備えた入力パッド１２と、操作スイッチ１３１を備えた入力手段１３と、一括消去素子１６１を備えた消去手段１６と、電圧発生手段１８と、接続手段１９と脱着手段１７の他方の要素であるプラグ１７２と、から構成される。
【００３４】
図５、６に示す様に、入力電極１４は４９個からなり、フレキシブル回路基板１１８上
に入力電極１４を形成しフレキシブル回路基板１１８の裏面に設けた配線電極１１６とビア構造で接続し、配線電極１１６ｃを通じてプラグ１７２に一対一で電気的接続がなされている。図６に示すケース１２０は、プラグ１７２と配線電極１１６ｃ以外の要素を収納する。
【００３５】
図５において、入力手段１３はペンシル状の書込ツールであり入力パッド１２とリード線１３２で操作が容易な様に接続されている。操作スイッチ１３１は入力手段１３の表面に設けられ、入力手段１３の先端部に発生する電圧の極性を、プラスの書込信号Ｒｓまたはマイナスの消去信号Ｅｓに切り替える。
【００３６】
消去手段１６は、入力部２の収納を兼ねプラスチック材で構成され、入力パッド１２とヒンジ１６３で結合されている。一括消去素子１６１は後述する電圧発生手段１８のプラスの書込信号Ｒｓまたはマイナスの消去信号Ｅｓに接続された銅やアルミ材の金属板であって、消去手段１６の内側に貼付されており、消去手段１６と入力パッド１２とを閉じると一括消去素子１６１が各入力電極１４に接触し消去信号Ｅｓが全ての入力電極１４に加えられ接続手段１９とプラグ１７２を通じて表示部1に供給される。
【００３７】
電圧発生手段１８は表示パネル１１の画素１５のマイクロカプセル１１４に、電気泳動によって描画するための書込信号Ｒｓと、描画したデータの消去のための消去信号Ｅｓとを発生する。
【００３８】
接続手段１９は配線電極１１６ｃを備えたフレキシブル回路基板１１８を用いて構成され、各入力電極１４からの電圧を一対一で脱着手段１７のプラグ１７２に電気的に結合する。本実施例では接続手段１９は４９本の信号線と１本の共通線の計５０本の接続線で構成されている。
【００３９】
図６に示す様に入力パッド１２はケース１２０の内部に厚さ２５μｍのポリイミドフィルムの基材のフレキシブル回路基板１１８を備え、両面の厚さ１０μｍの銅箔をエッチングして４９個の円形の入力電極１４を形成し、各入力電極１４は貫通ビアによって裏面の配線電極１１６に接続され、５０本の配線電極１１６ｃを通じてプラグ１７２に一対一で電気的に接続される。
【００４０】
図７と図８を用いて、第１の実施形態である表示装置１０の電気回路を説明する。まず図８を用いて表示装置１０の入力部２の電気回路を説明する。
図８は表示装置１０の入力部２の電気的構成を示す電気回路図である。図８において電圧発生手段１８は、表示パネル１１のマイクロカプセル１１４の通常マイナス側に帯電している白色粒子Ｗおよび通常プラス側に帯電している黒色粒子Ｂの特性に対応して、数ボルトから十数ボルトの直流電圧を発生する一次電池、二次電池、あるいは商用電源を整流して得られる直流電源などによって構成される。
【００４１】
入力手段１３は電圧発生手段１８によって発生した直流電圧を、操作スイッチ１３１で極性を切り替え書込信号Ｒｓあるいは消去信号Ｅｓとして入力電極１４に印加し、接続手段１９を経由してプラグ１７２に導出する。接続手段１９は４９本の信号線１９ｓと１本の共通線１９ｃとから構成される。
【００４２】
次に図７を用いて表示装置１０の表示部１の電気回路を説明する。図７は表示装置１０の表示部１の電気的構成を示す電気回路図である。図７において、リセプタクル１７１から受電された直流電圧は接続手段１９を経由し表示パネル１１の透明電極１１３と画素電極１１７とに印可される。
【００４３】
接続手段１９は４９本の信号線１９ｓと１本の共通線１９ｃとから構成され、例として信号線１９ｓから  画素電極１１７にプラス電位を、共通線１９ｃから透明電極１１３にゼロ電位を与えると、図７に示す様に通常はプラス側に帯電しているマイクロカプセル１１４の黒色粒子Ｂは、発生した電界に基づく電気泳動で視認側に移動して画素１５を黒く着色し、目視が可能となるのでデータや絵を描画できる。
【００４４】
[第１の実施形態の動作説明：図９]
図９を用いて第１の実施形態である表示装置１０の動作を説明する。
図９において、入力手段１３の操作スイッチ１３１を“＋”に設定し、入力パッド１２の表面に当接しデータや絵を描画する。すると入力手段１３から書込信号Ｒｓが入力電極１４に印可され接続手段１９および脱着手段１７を経由して表示パネル１１の各画素１５に印加され、図４に示すマイクロカプセル１１４の中の白色粒子Ｗと黒色粒子Ｂが泳動し、描画した文字や絵が表示パネル１１に表示される。図９に一例として示す様に、入力パッド１２より数字“２”を入力し表示パネル１１で対応する画素が着色し、“２”が表示されている。
【００４５】
その後、脱着手段１７にて表示パネル１１を入力パッド１２から分離する。電気泳動表示素子は、メモリ性があるため、入力部から表示部を切り離しても、表示部は表示をそのまま維持することができる。
【００４６】
また描画した箇所を消去する場合は、脱着手段１７にて表示パネル１１と入力パッド１２とを互いに接続した状態で、入力手段１３の操作スイッチ１３１を“−”側に設定し、消去する入力電極１４に当接し、入力手段１３の先端から消去信号Ｅｓを印可する。描画した全箇所を消去する場合は、入力手段１３の操作スイッチ１３１を“−”側に設定し、消去手段１６を入力パッド１２側に閉じ、消去信号Ｅｓを全入力電極１４に印可する。
【実施例２】
【００４７】
[第２の実施形態の説明：図１０〜図１５]
第２の実施形態である表示装置２０は、表示パネル１１の画素１５およびこの画素１５に対応する入力パッド１２の入力電極１４を、セグメントおよび予め定められた文字列（以後「ラベル」と略記する）で構成し、数字およびラベルを表示できる様にするものである。
【００４８】
図１０〜図１５を用いて、本発明の第１の実施形態である表示装置の構造および構成を説明する。図１０はブロック図、図１１は表示部１の平面図、図１２は図１１のＣ−Ｃ´断面図、図１３は入力部２の平面図、図１４は図１３のＤ−Ｄ´断面図、図１５は全体の外観を示す斜視図である。
【００４９】
図１０を用いて第２の実施形態である表示装置２０の構成を説明する。
図１０に示す様に、表示パネル１１の、セグメント画素１５１とラベル画素１５２とからなる各画素１５および、入力パッド１２のセグメント電極１４１とラベル電極１４２とからなる各入力電極１４は、数字を表す７セグメント形状と、単価ラベル形状を構成している。
【００５０】
図１０におけるその他の要素は図２における要素と同じであり、同一要素には同一番号を付し重複する説明は省略する。
【００５１】
図１１および図１２を用いて、第２の実施形態である表示装置２０の表示部１の表示パネル１１の構造を説明する。図１１に示す様に、表示パネル１１は４桁の数字を表示すための、桁毎に７個のセグメント画素１５１と、３種類の単価ラベルを描画するラベル画素
１５２を備えている。なおセグメント画素１５１およびラベル画素１５２は、ともにマイクロカプセル１１４と画素電極１１７とで構成され、セグメントおよびラベルを描画するための最小単位である。
【００５２】
図１１におけるその他の要素は図１における要素と同じであり、同一要素には同一番号を付し重複する説明は省略する。
【００５３】
図１２におけるその他の要素は図４における要素と同じであり、同一要素には同一番号を付し重複する説明は省略する。
【００５４】
図１３および図１４を用いて、第２の実施形態である表示装置２０の入力部２および入力パッド１２の構造を説明する。図１３に示す様に、入力部２はセグメント電極１４１とラベル電極１４２とを備えた入力パッド１２と、操作スイッチ１３１を備えた入力手段１３と消去手段１６と電圧発生手段１８と、接続手段１９とプラグ１７２とから構成される。
【００５５】
セグメント電極１４１は、４桁の数字を描画すための７個の入力電極を構成しており、ラベル電極１４２は、３種類の単価ラベルを描画するための３個の入力電極であり、ともに入力パッド１２上に形成される。
【００５６】
図１３におけるその他の要素は図５における要素と同じであり、同一要素には同一番号を付し重複する説明は省略する。
【００５７】
図１４に示す入力パッド１２の各要素については図６における要素と同じなので同一要素には同一番号を付し重複する説明は省略する。また、表示装置２０の電気回路については図７および図８と同様なので重複する説明は省略する。
【００５８】
[第２の実施形態の動作説明：図１５]
図１５を用いて第２の実施形態である表示装置２０の動作を説明する。
図１５において、入力手段１３の操作スイッチ１３１を“＋”に設定し、入力パッド１２の各桁のセグメント電極１４１の表面に所望の数字を描画する。すると入力手段１３の先端から書込信号Ｒｓが入力パッド１２の各桁のセグメント電極１４１表面に印可され、接続手段１９および脱着手段１７を経由して表示パネル１１の対応するセグメント画素１５１に書込信号Ｒｓが加わり、マイクロカプセル１１４の中の白色粒子Ｗと黒色粒子Ｂが泳動し、表示パネル１１上に入力パッド１２で描画した数字が表示される。
【００５９】
同様に入力手段１３によって、入力パッド１２の各単価ラベルの所望のラベル電極１４２に触れる。すると入力手段１３からプラス電圧が入力パッド１２の各桁のラベル電極１４２表面に印加され、接続手段１９および脱着手段１７を経由して表示パネル１１の対応するラベル画素１５２に書込信号Ｒｓが加わり、図１２に示すマイクロカプセル１１４の中の白色粒子Ｗと黒色粒子Ｂが泳動し、表示パネル１１上に入力パッド１２で描画したラベルが表示される。
【００６０】
図１５に例として数字“３４”と単価ラベル“円／ｇ”を描画した場合の例を示したが、セグメント電極１４１およびセグメント画素１５１の構成を、１２セグメントからなるいわゆるユニオンジャック構成とすれば、数字に加えてアルファベットも表示可能であることはいうまでもない。
【００６１】
先の実施形態と同様、脱着手段１７にて表示パネル１１を入力パッド１２から分離することができる。電気泳動表示素子は、メモリ性があるため、表示部を入力部から切り離し
ても、表示部は表示をそのまま維持することができる。また描画した数字や項目ラベルの、個別消去あるいは一括消去については、図９における説明と同じなので同一要素には同一番号を付し重複する説明は省略する。
【実施例３】
【００６２】
[第３の実施形態の説明：図１６〜図１８]
第３の実施形態である表示装置３０は、図１０に示す第２の実施形態における入力部２のセグメント電極１４１およびラベル電極１４２を、記憶性を有するメカニカルスイッチで構成し、描画と消去の動作はメカニカルスイッチを一方に設定すると書込電圧Ｒｓを発生し描画動作を行ない、反対側に設定すると消去電圧Ｅｓを発生し消去動作を行なう様にし、入力部２の構造をさらに簡素化するとともに、メカニカルスイッチが有する記憶性を活かし描画の繰り返し動作を容易にするものである。
【００６３】
図１６〜図１８を用いて、本発明の第３の実施形態である表示装置３０の構造および構成を説明する。図１６はブロック図、図１７は入力部の外観を示す斜視図、図１８は入力部の側面図である。
【００６４】
図１６を用いて第３の実施形態である表示装置３０の構成を説明する。図１６に示す様に、入力部２の入力パッド１２には数字を表す７セグメントに対応して桁毎に７個の入力スイッチ１４３と、３種類の単価ラベルを描画する３個の入力スイッチ１４３と、一括消去を行なうための一括消去スイッチ１６２とが設けられている。
【００６５】
図１６に示す第３の実施形態である表示装置３０の他の要素については、図１０に示す第２の実施形態である表示装置２０と同じなので同一要素には同一番号を付し重複する説明は省略する。
【００６６】
図１７を用いて、第３の実施形態である表示装置３０の入力部２の構成を説明する。図１７に示す様に、入力部２の入力パッド１２は４桁の数字を表示すための、桁毎に７個の入力スイッチ１４３と、３種類の単価ラベルを描画する３個の入力スイッチ１４３と、１個の一括消去スイッチ１６２とが設けられている。
【００６７】
図１７に示す第３の実施形態である表示装置３０の他の要素については、図１３に示す第２の実施形態である表示装置２０と同じなので同一要素には同一番号を付し重複する説明は省略する。
【００６８】
図１８を用いて、第３の実施形態である表示装置３０の入力部２の構造を説明する。図１８において入力スイッチ１４３はメカニカルスイッチであり、スイッチノブ１４３ｎを一方方向に倒して描画のための書込電圧Ｒｓあるいは消去電圧Ｅｓを設定する。
【００６９】
入力スイッチ１４３はフレキシブル回路基板１１８に半田付けにより固定され、フレキシブル回路基板１１８はケース１２０に固定される。
【００７０】
図１８におけるその他の要素および表示装置３０の電気回路は、図１４に示す表示装置２０と同じであり、同一要素には同一番号を付し重複する説明は省略する。
【００７１】
[第３の実施形態の動作説明：図１７]
図１７を用いて第３の実施形態である表示装置３０の動作を説明する。
図１７において、まず入力パッド１２の一括消去スイッチ１６２のスイッチノブ１６３ｎを一方の側に倒し、プラグ１７２およびリセプタクル１７１を通じて表示部１の表示パネル１１の全画素１５に消去電圧Ｅｓを供給して表示部１の表示パネル１１を消去する。
【００７２】
次に入力スイッチ１４３によって、所望の４桁の数字および所望の単価ラベルを描画する。描画した内容を修正する場合は該当するセグメントまたはラベルに対応する入力スイッチ１４３を反対側に設定する。
【００７３】
図１８におけるその他の要素の説明、および電気回路や動作については、図１５における第２の実施形態である表示装置２０と同じなので同一要素には同一番号を付し重複する説明は省略する。
【実施例４】
【００７４】
[第４の実施形態の説明：図１９]
第４の実施形態である表示装置４０は、図１５に示す第２の実施形態における入力部２のセグメント電極１４１およびラベル電極１４２を、記憶性を有するメカニカルスイッチで構成するとともにリセプタクル１７１を表示部１に、プラグ１７２を入力部２に一体化したものである。
【００７５】
図１９において、リセプタクル１７１は表示部１の表示パネル１１と一体化され、プラグ１７２は入力部２の入力パッド１２と一体化している。
図１９におけるその他の要素の説明、および電気回路や動作については、図１５に示すおける第２の実施形態である表示装置２０と同じであり、同一要素には同一番号を付し重複する説明は省略する。
【００７６】
[第４の実施形態の動作説明：図１９]
図１９を用いて第４の実施形態である表示装置４０の動作を説明する。
図１９において、まず入力パッド１２の一括消去スイッチ１６２によって表示部１の表示パネル１１の表示内容を消去したのち、入力スイッチ１４３によって所望の４桁の数字および所望の単価ラベルを描画する。
【００７７】
一旦、入力部２に所望の４桁の数字および所望の単価ラベルを描画したのち、同一の入力部２を用いて異なる場所にある複数の表示パネル１１へ、所定の数字やラベルの書込または消去を、プラグ１７２とリセプタクル１７１とを脱着することで連続して行なう。
【００７８】
以上、本発明の表示装置によれば、入力電極と画素とを一対一で直接接続するので、電気泳動素子専用の駆動ドライバや能動素子を必要とせずドットマトリクスやセグメントデータが簡単に描画可能となる。また、表示書き換えに必要な電圧値が少なくてすみ、回路の構造が簡素となり安価になるばかりでなく低消費電力も図ることができる。また、電気泳動表示素子は、メモリ性があるため、表示部を入力部から切り離しても、表示部は表示をそのまま維持することができるので、脱着手段にて表示パネルを入力パッドから分離して用いることが可能である。よって、極めて消費電力を低く抑えることができ、長時間書き換えの必要がないタグ等に用いる場合最適である。
【符号の説明】
【００７９】
１  表示部
２  入力部
１０、２０、３０、４０  表示装置
１１  表示パネル
１１０  画素表示層
１１１  保護フィルム
１１２  透明基板
１１３  透明電極
１１４  マイクロカプセル
１１５  接着層
１１６、１１６ｃ  配線電極
１１７  画素電極
１１８  フレキシブル回路基板
１１９  保護層
１２  入力パッド
１２０  ケース
１３  入力手段
１３１  操作スイッチ
１３２  リード線
１４  入力電極
１４１  セグメント電極
１４２  ラベル電極
１４３  入力スイッチ
１４３ｎ、１６３ｎ  スイッチノブ
１５  画素
１５１  セグメント画素
１５２  ラベル画素
１６  消去手段
１６１  一括消去素子
１６２  一括消去スイッチ
１６３  ヒンジ
１７  脱着手段
１７１  リセプタクル
１７２  プラグ
１８  電圧発生手段
１９  接続手段
１９ｃ  共通線
１９ｓ  信号線
２０２  電気泳動表示パネル
２０６  下部電極
２０７  誘電体フィルム
２０９  導電性トナー
２０８  白色粒子
２０５  電気泳動層
２０４  電気ペン
Ｒｓ  書込信号
Ｅｓ  消去信号
Ｗ  白色粒子
Ｂ  黒色粒子
【図１】
2013205436.tif 000003
【図２】
2013205436.tif 000004
【図３】
2013205436.tif 000005
【図４】
2013205436.tif 000006
【図５】
2013205436.tif 000007
【図６】
2013205436.tif 000008
【図７】
2013205436.tif 000009
【図８】
2013205436.tif 000010
【図９】
2013205436.tif 000011
【図１０】
2013205436.tif 000012
【図１１】
2013205436.tif 000013
【図１２】
2013205436.tif 000014
【図１３】
2013205436.tif 000015
【図１４】
2013205436.tif 000016
【図１５】
2013205436.tif 000017
【図１６】
2013205436.tif 000018
【図１７】
2013205436.tif 000019
【図１８】
2013205436.tif 000020
【図１９】
2013205436.tif 000021
【図２０】
2013205436.tif 000022